(57)【要約】【課題】印刷装置を用いたウェブページの閲覧を簡単な入力操作で行う。【解決手段】本印刷装置では、１〜８の識別番号に対応させてウェブページのＵＲＬ及びその内容を示すコメント情報を記憶しており、操作パネルにて「１」〜「８」の何れかのダイヤルボタンが押されると（Ｓ１２０：ＹＥＳ）、変数Ｍの値をそのダイヤルボタンの番号に変更し（Ｓ１３０）、この変数Ｍと同じ識別番号に対応させて記憶しているコメント情報を表示パネルに表示させる（Ｓ１４０）。その後、操作パネルのスタートボタンが押されると（Ｓ１５０：ＹＥＳ，Ｓ１７０：ＮＯ）、変数Ｍと同じ識別番号に対応させて記憶しているＵＲＬを読み出し（Ｓ１８０）、このＵＲＬに対応するウェブページを表すウェブページデータをインターネット網を介して取得して（Ｓ１９０）、このウェブページデータの表すウェブページの画像を用紙に印刷する（Ｓ２００，Ｓ２１０）。【選択図】  図３
2004220360.tif 000002
【特許請求の範囲】
【請求項１】
複数のウェブページについてのアドレス情報が記憶される記憶手段と、
該記憶手段に記憶されているアドレス情報のうちの一つを選択する情報選択操作が行われる入力手段と、
該入力手段に対して行われる前記情報選択操作に基づき前記記憶手段に記憶されているアドレス情報のうちの一つを選択する選択手段と、
該選択手段により選択されたアドレス情報を用いて該アドレス情報に対応するウェブページを表すウェブページデータをネットワーク経由で取得する取得手段と、
該取得手段により取得されたウェブページデータの表すウェブページを印刷媒体に印刷する印刷手段と、
を備えたことを特徴とする印刷装置。
【請求項２】
第１通信端末と第２通信端末とが通信可能に接続された通信システムであって、
前記第１通信端末は、
複数のウェブページについてのアドレス情報が記憶される第１記憶手段を有すると共に、
該第１記憶手段に記憶されているアドレス情報のうちの一つが外部からの入力操作により選択されると、その選択されたアドレス情報を用いて該アドレス情報に対応するウェブページを表すウェブページデータをネットワーク経由で取得し、その取得したウェブページデータの表すウェブページを表示手段に表示する機能と、前記表示手段に表示されているウェブページについてのアドレス情報を外部からの入力操作に応じて前記第１記憶手段に記憶させる機能とを含むブラウザ機能を有し、
更に、前記第１記憶手段に記憶されているアドレス情報を前記第２通信端末へ送信する情報通知手段を備えており、
前記第２通信端末は、
複数のウェブページについてのアドレス情報が記憶される第２記憶手段と、
該第２記憶手段に記憶されているアドレス情報のうちの一つを選択する情報選択操作が行われる入力手段と、
該入力手段に対して行われる前記情報選択操作に基づき前記第２記憶手段に記憶されているアドレス情報のうちの一つを選択する選択手段と、
該選択手段により選択されたアドレス情報を用いて該アドレス情報に対応するウェブページを表すウェブページデータをネットワーク経由で取得する取得手段と、
該取得手段により取得されたウェブページデータの表すウェブページを印刷媒体に印刷する印刷手段と、
前記第１通信端末の情報通知手段により当該第２通信端末に送信されたアドレス情報を前記第２記憶手段に記憶させる登録手段と、を備えていること、
を特徴とする通信システム。
【請求項３】
請求項２に記載の通信システムにおいて、
前記第１通信端末の情報通知手段は、前記第１記憶手段に記憶されているアドレス情報が変更されたと判断した場合に、その変更後の情報を前記第２通信端末へ送信すること、
を特徴とする通信システム。
【請求項４】
請求項２又は請求項３に記載の通信システムにおいて、
前記第２通信端末の第２記憶手段には、前記複数のウェブページについてのアドレス情報が識別番号と対応させて記憶されると共に、
前記選択手段は、前記第２記憶手段に記憶されているアドレス情報のうち、前記情報選択操作で指示された識別番号に対応するアドレス情報を選択するように構成されており、
前記第１通信端末の第１記憶手段には、前記識別番号に対応する複数の記憶領域が設けられていると共に、
前記第１通信端末は、前記表示手段に表示されているウェブページについてのアドレス情報を、前記第１記憶手段に設けられた複数の記憶領域のうち外部からの入力操作で指示された記憶領域に記憶させるように構成され、
前記情報通知手段は、前記第１記憶手段に記憶されているアドレス情報を、そのアドレス情報が記憶されている記憶領域の識別番号と対応して前記第２記憶手段に記憶されるように、前記第２通信端末へ送信するように構成されており、
更に、前記第１通信端末は、前記第１記憶手段に設けられた複数の記憶領域のうち、前記アドレス情報が既に記憶されている記憶領域に新たなアドレス情報が記憶された場合に、既に記憶されていたアドレス情報を削除する削除手段を備えていること、
を特徴とする通信システム。
【請求項５】
第１通信端末と第２通信端末とが通信可能に接続された通信システムであって、
前記第１通信端末は、
複数のウェブページについてのアドレス情報及び見出し情報が記憶される第１記憶手段を有すると共に、
該第１記憶手段に記憶されているアドレス情報のうちの一つが外部からの入力操作により選択されると、その選択されたアドレス情報を用いて該アドレス情報に対応するウェブページを表すウェブページデータをネットワーク経由で取得し、その取得したウェブページデータの表すウェブページを表示手段に表示する機能と、前記表示手段に表示されているウェブページについてのアドレス情報及び見出し情報を外部からの入力操作に応じて前記第１記憶手段に記憶させる機能とを含むブラウザ機能を有し、
更に、前記第１記憶手段に記憶されているアドレス情報及び見出し情報を前記第２通信端末へ送信する情報通知手段を備えており、
前記第２通信端末は、
複数のウェブページについてのアドレス情報及び見出し情報が記憶される第２記憶手段と、
該第２記憶手段に記憶されているアドレス情報のうちの一つを選択する情報選択操作が行われる入力手段と、
該入力手段に対して行われる前記情報選択操作に基づき前記第２記憶手段に記憶されているアドレス情報のうちの一つを選択する選択手段と、
前記入力手段に対して前記情報選択操作が行われる際に、該情報選択操作で選択対象となるアドレス情報に対応するウェブページについての見出し情報を表示する見出情報表示手段と、
前記選択手段により選択されたアドレス情報を用いて該アドレス情報に対応するウェブページを表すウェブページデータをネットワーク経由で取得する取得手段と、
該取得手段により取得されたウェブページデータの表すウェブページを印刷媒体に印刷する印刷手段と、
前記第１通信端末の情報通知手段により当該第２通信端末に送信されたアドレス情報及び見出し情報を前記第２記憶手段に記憶させる登録手段と、を備えていること、
を特徴とする通信システム。
【請求項６】
請求項５に記載の通信システムにおいて、
前記第１通信端末の情報通知手段は、前記第１記憶手段に記憶されているアドレス情報又は見出し情報が変更されたと判断した場合に、その変更後の情報を前記第２通信端末へ送信すること、
を特徴とする通信システム。
【請求項７】
請求項５又は請求項６に記載の通信システムにおいて、
前記第２通信端末の第２記憶手段には、前記複数のウェブページについてのアドレス情報及び見出し情報が識別番号と対応させて記憶されると共に、
前記選択手段は、前記第２記憶手段に記憶されているアドレス情報のうち、前記情報選択操作で指示された識別番号に対応するアドレス情報を選択するように構成されており、
前記第１通信端末の第１記憶手段には、前記識別番号に対応する複数の記憶領域が設けられていると共に、
前記第１通信端末は、前記表示手段に表示されているウェブページについてのアドレス情報及び見出し情報を、前記第１記憶手段に設けられた複数の記憶領域のうち外部からの入力操作で指示された記憶領域に記憶させるように構成され、前記情報通知手段は、前記第１記憶手段に記憶されているアドレス情報及び見出し情報を、そのアドレス情報及び見出し情報が記憶されている記憶領域の識別番号と対応して前記第２記憶手段に記憶されるように、前記第２通信端末へ送信するように構成されており、
更に、前記第１通信端末は、前記第１記憶手段に設けられた複数の記憶領域のうち、前記アドレス情報及び見出し情報が既に記憶されている記憶領域に新たなウェブページについてのアドレス情報及び見出し情報が記憶された場合に、既に記憶されていたアドレス情報及び見出し情報を削除する削除手段を備えていること、
を特徴とする通信システム。
【請求項８】
第１通信端末と第２通信端末とが通信可能に接続され、該第２通信端末が、前記第１通信端末から受信して記憶したウェブページについてのアドレス情報を用いて該アドレス情報に対応するウェブページを表すウェブページデータをネットワーク経由で取得すると共に、その取得したウェブページデータの表わすウェブページを印刷媒体に印刷するように構成された通信システムにおいて、前記第１通信端末として用いられる情報処理装置であって、
複数のウェブページについてのアドレス情報が記憶される記憶手段を有すると共に、
該記憶手段に記憶されているアドレス情報のうちの一つが外部からの入力操作により選択されると、その選択されたアドレス情報を用いて該アドレス情報に対応するウェブページを表すウェブページデータをネットワーク経由で取得し、その取得したウェブページデータの表すウェブページを表示手段に表示する機能と、前記表示手段に表示されているウェブページについてのアドレス情報を外部からの入力操作に応じて前記記憶手段に記憶させる機能とを含むブラウザ機能を有し、
更に、前記記憶手段に記憶されているアドレス情報を前記第２通信端末へ送信する情報通知手段を備えていること、
を特徴とする情報処理装置。
【請求項９】
第１通信端末と第２通信端末とが通信可能に接続され、該第２通信端末が、前記第１通信端末から受信して記憶したウェブページについてのアドレス情報を用いて該アドレス情報に対応するウェブページを表すウェブページデータをネットワーク経由で取得すると共に、その取得したウェブページデータの表わすウェブページを印刷媒体に印刷するように構成された通信システムにおいて、前記第１通信端末として用いられ、複数のウェブページについてのアドレス情報が記憶される記憶手段を有すると共に、該記憶手段に記憶されているアドレス情報のうちの一つが外部からの入力操作により選択されると、その選択されたアドレス情報を用いて該アドレス情報に対応するウェブページを表すウェブページデータをネットワーク経由で取得し、その取得したウェブページデータの表すウェブページを表示手段に表示する機能と、前記表示手段に表示されているウェブページについてのアドレス情報を外部からの入力操作に応じて前記記憶手段に記憶させる機能とを含むブラウザ機能を有したコンピュータを、
前記記憶手段に記憶されているアドレス情報を読み出す情報読出手段、及び、該情報読出手段により読み出されたアドレス情報を前記第２通信端末へ送信する送信手段として機能させるためのプログラム。
【請求項１０】
通信端末と通信可能に接続される印刷装置であって、
複数のウェブページについてのアドレス情報が記憶される記憶手段と、
該記憶手段に記憶されているアドレス情報のうちの一つを選択する情報選択操作が行われる入力手段と、
該入力手段に対して行われる前記情報選択操作に基づき前記記憶手段に記憶されているアドレス情報のうちの一つを選択する選択手段と、
該選択手段により選択されたアドレス情報を用いて該アドレス情報に対応するウェブページを表すウェブページデータをネットワーク経由で取得する取得手段と、
該取得手段により取得されたウェブページデータの表すウェブページを印刷媒体に印刷する印刷手段と、
前記通信端末から送信されてくるウェブページについてのアドレス情報を受信する受信手段と、
該受信手段により受信されたアドレス情報を前記記憶手段に記憶させる登録手段と、
を備えたことを特徴とする印刷装置。
【発明の詳細な説明】
【０００１】
【発明の属する技術分野】
本発明は、ウェブページを閲覧するための技術に関し、特に、ウェブページを印刷する印刷装置、この印刷装置を有する通信システム、ウェブページを表示する情報処理装置、及び、この情報処理装置において用いられるプログラムに関するものである。
【０００２】
【従来の技術】
従来より、インターネット上のウェブページを閲覧する技術が知られている。例えば、特許文献１には、ウェブページのＵＲＬ（Ｕｎｉｆｏｒｍ  Ｒｅｓｏｕｒｃｅ  Ｌｏｃａｔｏｒ）が複数の属性に分類されたデータベースを記憶する専用のアドレスリストサーバを備え、パーソナルコンピュータ（以下、パソコンという。）のユーザが、その専用のアドレスリストサーバに記憶されているデータベースから上記属性を基にＵＲＬを検索することで、所望のウェブページへのアクセスを容易に行うことができるようにした情報配信システムが開示されている。
【０００３】
【特許文献１】
特開２００１−２５６１６３号公報（第５−１１頁、第１図）
【０００４】
【発明が解決しようとする課題】
ところで、一般に、パソコンが有するユーザインターフェイス部（マウス、キーボード、ディスプレイなど）に比べ、プリンタやファクシミリなどの印刷装置が有するユーザインターフェイス部（操作パネルや表示パネルなど）は操作性が悪い。このため、ウェブページデータを直接取得して該データの表すウェブページを印刷媒体に印刷することでウェブページを閲覧可能とする印刷装置を考えた場合、所望のウェブページを閲覧するための入力操作としてそのウェブページのＵＲＬを手入力する際に非常に手間がかかるという問題が生じる。
【０００５】
なお、上記情報配信システムのように、専用のアドレスリストサーバに記憶されているデータベースからＵＲＬを検索するように構成することも考えられるが、この場合、専用のアドレスリストサーバと通信できない状態ではウェブページを閲覧することができなくなってしまうため好ましくない。
【０００６】
本発明は、こうした問題に鑑みなされたものであり、印刷装置を用いたウェブページの閲覧を簡単な入力操作で行うことを目的としている。
【０００７】
【課題を解決するための手段及び発明の効果】
上記目的を達成するためになされた請求項１に記載の印刷装置は、複数のウェブページについてのアドレス情報（例えばＵＲＬ）が記憶される記憶手段と、この記憶手段に記憶されているアドレス情報のうちの一つを選択する情報選択操作が行われる入力手段とを備えている。そして、本印刷装置では、選択手段が、入力手段に対して行われる情報選択操作に基づき記憶手段に記憶されているアドレス情報のうちの一つを選択し、取得手段が、選択手段により選択されたアドレス情報を用いてこのアドレス情報に対応するウェブページを表すウェブページデータをネットワーク（例えばインターネット）経由で取得し、印刷手段が、取得手段により取得されたウェブページデータの表すウェブページを印刷媒体（例えば用紙）に印刷する。
【０００８】
このような請求項１の印刷装置を用いれば、使用者は、記憶手段に記憶されている複数のウェブページについてのアドレス情報から所望のウェブページについてのアドレス情報を選択するだけの簡単な入力操作により、そのウェブページを印刷媒体に印刷して閲覧することができる。このため、例えばニュースなどのように内容が頻繁に更新されるウェブページを定期的に印刷して閲覧する場合、そのウェブページについてのアドレス情報を記憶手段に記憶させておけば、アドレス情報を毎回手入力する必要がない。なお、記憶手段にアドレス情報を記憶させる方法としては様々な方法が考えられるが、例えばアドレス情報を手入力することで記憶させるとしても、一旦アドレス情報を記憶させてしまえば次回からは同じアドレス情報を手入力する必要がないという効果が得られる。
【０００９】
次に、請求項２に記載の通信システムは、第１通信端末と第２通信端末とが通信可能に接続されたものである。
そして、本通信システムを構成する第１通信端末は、複数のウェブページについてのアドレス情報が記憶される第１記憶手段を有すると共に、この第１記憶手段に記憶されているアドレス情報のうちの一つが外部からの入力操作により選択されると、その選択されたアドレス情報を用いてこのアドレス情報に対応するウェブページを表すウェブページデータをネットワーク経由で取得し、その取得したウェブページデータの表すウェブページを表示手段に表示する機能と、表示手段に表示されているウェブページについてのアドレス情報を外部からの入力操作に応じて第１記憶手段に記憶させる機能とを含むブラウザ機能を有している。そして更に、本第１通信端末では、情報通知手段が、第１記憶手段に記憶されているアドレス情報を第２通信端末へ送信する。
【００１０】
一方、本通信システムを構成する第２通信端末は、複数のウェブページについてのアドレス情報が記憶される第２記憶手段と、この第２記憶手段に記憶されているアドレス情報のうちの一つを選択する情報選択操作が行われる入力手段とを備えている。そして、本第２通信端末では、選択手段が、入力手段に対して行われる情報選択操作に基づき第２記憶手段に記憶されているアドレス情報のうちの一つを選択し、取得手段が、選択手段により選択されたアドレス情報を用いてこのアドレス情報に対応するウェブページを表すウェブページデータをネットワーク経由で取得し、印刷手段が、取得手段により取得されたウェブページデータの表すウェブページを印刷媒体に印刷する。そして更に、本第２通信端末では、登録手段が、第１通信端末の情報通知手段により当該第２通信端末に送信されたアドレス情報を第２記憶手段に記憶させる。
【００１１】
このような請求項２の通信システムによれば、上記請求項１の印刷装置によって得られる効果と同様の効果を、第２通信端末によって得ることができる。そして更に、本通信システムでは、第１通信端末にて表示手段に表示させて閲覧しているウェブページについてのアドレス情報を第１記憶手段に記憶させると、このアドレス情報が情報通知手段によって第２通信端末に送信されて第２記憶手段にも記憶されるため、簡単な操作でアドレス情報を第２記憶手段に記憶させることができる。
【００１２】
ところで、第１通信端末の情報通知手段によるアドレス情報の送信は、定期的に行うことも考えられるが、例えば請求項３に記載のように、第１通信端末の情報通知手段が、第１記憶手段に記憶されているアドレス情報が変更されたと判断した場合に、その変更後の情報を第２通信端末へ送信するように構成されていれば、送信回数を少なくして第１通信端末と第２通信端末との間の通信トラフィックを低減することができる。
【００１３】
また更に、請求項４に記載の通信システムでは、第２通信端末の第２記憶手段に、複数のウェブページについてのアドレス情報が識別番号と対応させて記憶されると共に、選択手段が、第２記憶手段に記憶されているアドレス情報のうち、情報選択操作で指示された識別番号に対応するアドレス情報を選択するように構成されている。また、本通信システムでは、第１通信端末の第１記憶手段に、識別番号に対応する複数の記憶領域が設けられていると共に、第１通信端末が、表示手段に表示されているウェブページについてのアドレス情報を、第１記憶手段に設けられた複数の記憶領域のうち外部からの入力操作で指示された記憶領域に記憶させるように構成され、情報通知手段が、第１記憶手段に記憶されているアドレス情報を、そのアドレス情報が記憶されている記憶領域の識別番号と対応して第２記憶手段に記憶されるように、第２通信端末へ送信するように構成されている。そして更に、本通信システムでは、第１通信端末が、削除手段を備えており、この削除手段が、第１記憶手段に設けられた複数の記憶領域のうち、アドレス情報が既に記憶されている記憶領域に新たなアドレス情報が記憶された場合に、既に記憶されていたアドレス情報を削除する。
【００１４】
このような請求項４の通信システムでは、使用者が、第１通信端末の表示手段に表示されているウェブページについてのアドレス情報を、第１記憶手段に設けられた複数の記憶領域のうち所望の識別番号に対応する記憶領域に記憶させる入力操作を行うと、この記憶領域にアドレス情報が記憶されると共に、このアドレス情報が第２通信端末へ送信されて、上記所望の識別番号に対応させて第２記憶手段に記憶される。このため、本通信システムによれば、使用者は、所望のウェブページについてのアドレス情報を所望の識別番号に対応させて第２通信端末側に記憶させることができ、その結果、第２通信端末にて所望の識別番号を用いて所望のウェブページについてのアドレス情報を選択することができる。そして更に、本通信システムでは、第１通信端末の削除手段により、第１記憶手段に設けられた記憶領域のうち、アドレス情報が既に記憶されている記憶領域に新たなアドレス情報が記憶された場合に、既に記憶されていたアドレス情報を削除するようにしているため、１つの識別番号に対応して複数のアドレス情報が存在してしまうことを防ぐことができる。
【００１５】
次に、請求項５に記載の通信システムも、上記請求項２〜５の通信システムと同様、第１通信端末と第２通信端末とが通信可能に接続されたものである。
そして、本通信システムを構成する第１通信端末は、複数のウェブページについてのアドレス情報及び見出し情報が記憶される第１記憶手段を有すると共に、この第１記憶手段に記憶されているアドレス情報のうちの一つが外部からの入力操作により選択されると、その選択されたアドレス情報を用いてこのアドレス情報に対応するウェブページを表すウェブページデータをネットワーク経由で取得し、その取得したウェブページデータの表すウェブページを表示手段に表示する機能と、表示手段に表示されているウェブページについてのアドレス情報及び見出し情報を外部からの入力操作に応じて第１記憶手段に記憶させる機能とを含むブラウザ機能を有している。そして更に、本第１通信端末では、情報通知手段が、第１記憶手段に記憶されているアドレス情報及び見出し情報を第２通信端末へ送信する。
【００１６】
一方、本通信システムを構成する第２通信端末は、複数のウェブページについてのアドレス情報及び見出し情報が記憶される第２記憶手段と、この第２記憶手段に記憶されているアドレス情報のうちの一つを選択する情報選択操作が行われる入力手段とを備えている。そして、本第２通信端末では、選択手段が、入力手段に対して行われる情報選択操作に基づき第２記憶手段に記憶されているアドレス情報のうちの一つを選択し、見出情報表示手段が、入力手段に対して情報選択操作が行われる際に、この情報選択操作で選択対象となるアドレス情報に対応するウェブページについての見出し情報を表示し、取得手段が、選択手段により選択されたアドレス情報を用いてこのアドレス情報に対応するウェブページを表すウェブページデータをネットワーク経由で取得し、印刷手段が、取得手段により取得されたウェブページデータの表すウェブページを印刷媒体に印刷する。そして更に、本第２通信端末では、登録手段が、第１通信端末の情報通知手段により当該第２通信端末に送信されたアドレス情報及び見出し情報を第２記憶手段に記憶させる。
【００１７】
つまり、上記請求項２の通信システムが第１通信端末から第２通信端末へウェブページについてのアドレス情報を送信する構成であるのに対し、本請求項５の通信システムは、第１通信端末から第２通信端末へウェブページについてのアドレス情報及び見出し情報を送信する構成となっており、更に、本通信システムでは、第２通信端末の見出情報表示手段により、情報選択操作で選択対象となるアドレス情報に対応するウェブページについての見出し情報を表示するようになっている。
【００１８】
このような請求項５の通信システムによれば、上記請求項２の通信システムによって得られる効果と同様の効果を得ることができる。そして更に、本通信システムを用いれば、使用者は、第２通信端末にて情報選択操作を行う際に、選択対象となるアドレス情報に対応するウェブページについての見出し情報を見出情報表示手段により確認することができるため、異なるウェブページについてのアドレス情報を誤って選択してしまうことを防ぐことができる。
【００１９】
そして特に、例えば請求項６に記載のように、第１通信端末の情報通知手段が、第１記憶手段に記憶されているアドレス情報又は見出し情報が変更されたと判断した場合に、その変更後の情報を第２通信端末へ送信するように構成されていれば、上記請求項３の通信システムによって得られる効果と同様の効果を得ることができる。
【００２０】
また更に、請求項７に記載の通信システムでは、第２通信端末の第２記憶手段に、複数のウェブページについてのアドレス情報及び見出し情報が識別番号と対応させて記憶されると共に、選択手段が、第２記憶手段に記憶されているアドレス情報のうち、情報選択操作で指示された識別番号に対応するアドレス情報を選択するように構成されている。また、本システムでは、第１通信端末の第１記憶手段に、識別番号に対応する複数の記憶領域が設けられていると共に、第１通信端末が、表示手段に表示されているウェブページについてのアドレス情報及び見出し情報を、第１記憶手段に設けられた複数の記憶領域のうち外部からの入力操作で指示された記憶領域に記憶させるように構成され、情報通知手段が、第１記憶手段に記憶されているアドレス情報及び見出し情報を、そのアドレス情報及び見出し情報が記憶されている記憶領域の識別番号と対応して第２記憶手段に記憶されるように、第２通信端末へ送信するように構成されている。そして更に、本通信システムでは、第１通信端末が、削除手段を備えており、この削除手段が、第１記憶手段に設けられた複数の記憶領域のうち、アドレス情報及び見出し情報が既に記憶されている記憶領域に新たなウェブページについてのアドレス情報及び見出し情報が記憶された場合に、既に記憶されていたアドレス情報及び見出し情報を削除する。
【００２１】
このような請求項７の通信システムによれば、上記請求項４の通信システムによって得られる効果と同様の効果を得ることができる。
次に、請求項８に記載の情報処理装置は、第１通信端末と第２通信端末とが通信可能に接続され、第２通信端末が、第１通信端末から受信して記憶したウェブページについてのアドレス情報を用いてこのアドレス情報に対応するウェブページを表すウェブページデータをネットワーク経由で取得すると共に、その取得したウェブページデータの表わすウェブページを印刷媒体に印刷するように構成された通信システムにおいて、上記第１通信端末として用いられるものである。そして、本情報処理装置は、複数のウェブページについてのアドレス情報が記憶される記憶手段を有すると共に、この記憶手段に記憶されているアドレス情報のうちの一つが外部からの入力操作により選択されると、その選択されたアドレス情報を用いてこのアドレス情報に対応するウェブページを表すウェブページデータをネットワーク経由で取得し、その取得したウェブページデータの表すウェブページを表示手段に表示する機能と、表示手段に表示されているウェブページについてのアドレス情報を外部からの入力操作に応じて記憶手段に記憶させる機能とを含むブラウザ機能を有している。そして更に、本情報処理装置では、情報通知手段が、記憶手段に記憶されているアドレス情報を第２通信端末へ送信する。このような請求項８の情報処理装置によれば、上記請求項２の通信システムと同様の効果が得られる通信システムを構築することができる。
【００２２】
次に、請求項９に記載のプログラムは、第１通信端末と第２通信端末とが通信可能に接続され、第２通信端末が、第１通信端末から受信して記憶したウェブページについてのアドレス情報を用いてこのアドレス情報に対応するウェブページを表すウェブページデータをネットワーク経由で取得すると共に、その取得したウェブページデータの表わすウェブページを印刷媒体に印刷するように構成された通信システムにおいて、上記第１通信端末として用いられ、複数のウェブページについてのアドレス情報が記憶される記憶手段を有すると共に、この記憶手段に記憶されているアドレス情報のうちの一つが外部からの入力操作により選択されると、その選択されたアドレス情報を用いてこのアドレス情報に対応するウェブページを表すウェブページデータをネットワーク経由で取得し、その取得したウェブページデータの表すウェブページを表示手段に表示する機能と、表示手段に表示されているウェブページについてのアドレス情報を外部からの入力操作に応じて記憶手段に記憶させる機能とを含むブラウザ機能を有したコンピュータを、記憶手段に記憶されているアドレス情報を読み出す情報読出手段、及び、この情報読出手段により読み出されたアドレス情報を第２通信端末へ送信する送信手段として機能させるためのものである。このような請求項９のプログラムによれば、上記記憶手段及びブラウザ機能を有したコンピュータ（例えば汎用のパソコン）を上記請求項８の情報処理装置として動作させることができる。なお、本プログラムは、コンピュータ読み取り可能な記録媒体（例えば、フロッピー（登録商標）ディスクやＣＤ−ＲＯＭ等）に記録されていてもよい。
【００２３】
次に、請求項１０に記載の印刷装置は、通信端末と通信可能に接続されるものである。そして、本印刷装置は、複数のウェブページについてのアドレス情報が記憶される記憶手段と、この記憶手段に記憶されているアドレス情報のうちの一つを選択する情報選択操作が行われる入力手段とを備えている。そして更に、本印刷装置では、選択手段が、入力手段に対して行われる情報選択操作に基づき記憶手段に記憶されているアドレス情報のうちの一つを選択し、取得手段が、選択手段により選択されたアドレス情報を用いてこのアドレス情報に対応するウェブページを表すウェブページデータをネットワーク経由で取得し、印刷手段が、取得手段により取得されたウェブページデータの表すウェブページを印刷媒体に印刷し、受信手段が、通信端末から送信されてくるウェブページについてのアドレス情報を受信し、登録手段が、受信手段により受信されたアドレス情報を記憶手段に記憶させる。このような請求項１０の印刷装置を上記請求項２の通信システムにおける第２通信端末として用いれば、上記請求項２の通信システムと同様の効果が得られる通信システムを構築することができる。
【００２４】
【発明の実施の形態】
以下、本発明が適用された実施形態について、図面を用いて説明する。
まず図１は、実施形態の通信システム１の構成を表すブロック図である。
図１に示すように、この通信システム１は、複合機１０と、パソコン５０とを備えている。そして、本通信システム１において、複合機１０とパソコン５０とは、ＬＡＮ（Ｌｏｃａｌ  Ａｒｅａ  Ｎｅｔｗｏｒｋ）２を介して相互通信可能に接続されており、更に、ＬＡＮ２を介してインターネット網２００に接続されている。
【００２５】
複合機１０は、電話回線網１００を介して音声通話を実現する電話機能、電話回線網１００を介して画像の送受信を行うファクシミリ機能、インターネット網２００経由でデータ通信を行うインターネット機能などを有したものである。そして、本複合機１０では、ＣＰＵ１２、ＲＯＭ１４、ＲＡＭ１６、ＥＥＰＲＯＭ１８、スキャナ部２０、モデム２２、プリンタ部２４、ユーザインターフェイス部２６、ＰＣインターフェイス部２８、ネットワークインターフェイス部３０、回線制御部３２などが、バス３４を介して接続されており、更に、上記回線制御部３２には、ハンドセット３６が接続されている。
【００２６】
ＣＰＵ１２は、ＲＯＭ１４に予め記憶されている処理手順に従い、処理結果をＲＡＭ１６に記憶させながら、複合機１０の各構成要素にバス３４経由で指令を送ることによって、複合機１０全体の動作を制御する。なお、ＲＯＭ１４には、上記処理手順の他に、インターネット網２００に接続されたサーバにネットワークインターフェイス部３０を介してウェブページデータの送信を要求し、この要求に応じたサーバから送信されてきたウェブページデータをネットワークインターフェイス部３０を介して受信する機能を実現する通信用ソフトが組み込まれている。
【００２７】
スキャナ部２０は、ＣＰＵ１２からの指令を受けて、図示しない読取部にセットされた用紙（印刷媒体）からその用紙上の画像を読み取ると共に、その読み取った画像のイメージデータを生成する。
モデム２２は、ＣＰＵ１２からの指令を受けて、スキャナ部２０で生成されたイメージデータを変調して電話回線網１００を伝送可能な画像信号を生成すると共に、電話回線網１００から回線制御部３２を介して入力された画像信号を復調してイメージデータを生成する。
【００２８】
プリンタ部２４は、ＣＰＵ１２からの指令を受けて、図示しない給紙部にセットされた用紙への画像の印刷（印字）を行う。
ユーザインターフェイス部２６は、複数の操作ボタンからなる操作パネル３８と、各種情報を表示する表示パネル（ＬＣＤ）４０と、スピーカ及びこのスピーカを駆動する駆動回路からなるスピーカ部４２とを備えている。これらのうち、操作パネル３８は、「０」〜「９」，「＊」，「＃」の各番号及び記号に対応した１２個のダイヤルボタン、各種処理を開始するためのスタートボタン、キャンセル操作を行うためのキャンセルボタン、動作モードを切り換えるためのモード切換ボタンなどを備えている。そして、本複合機１０では、上記モード切換ボタンにより、当該複合機１０の動作モードを、通常動作を行う通常モードと後述するワンタッチプリント処理を行うワンタッチプリントモードとの何れかに設定可能となっている。なお、上記各ダイヤルボタンには、ひらがな、アルファベットその他の文字及び記号が複数割り振られており、ダイヤルボタンを複数回押す操作によってそのダイヤルボタンに割り振られている文字の中から所望の文字を選択して入力することができるようになっている。
【００２９】
ＰＣインターフェイス部２８は、本複合機１０を通信ケーブル経由で別のコンピュータシステムと接続するためのインターフェイスであり、複合機１０とコンピュータシステムとの間でのデータ通信を可能とする。
ネットワークインターフェイス部３０は、ＬＡＮ２を介してデータの送受信処理を行うものであり、ＣＰＵ１２の指令を受けて、複合機１０外部からパケット単位のデータを入力すると共に、複合機１０外部へパケット単位のデータを出力する。
【００３０】
ハンドセット３６は、複合機１０本体から取り外して使用する送受話器である。
回線制御部３２は、電話回線網１００からの信号（音声・画像信号）の入力及び電話回線網１００への信号の出力を行うと共に、ＣＰＵ１２の指令を受けて、電話回線網１００との間で入出力する信号の伝送先及び伝送元となる伝送経路を設定する。具体的には、ハンドセット３６を複合機１０本体から取り外す操作（オフフック操作）が行われた際に、回線制御部３２からハンドセット３６へ向かう経路が上記伝送経路として設定され、この経路に音声信号が伝送可能な状態となる。こうして設定された伝送経路は、ハンドセット３６を複合機１０本体に戻す操作（オンフック操作）が行われた際に解除され、この経路に音声信号が伝送されない状態となる。また、操作パネル３８により画像を送信（ＦＡＸ送信）するための操作が行われた際又は画像信号を受信した際に、回線制御部３２からモデム２２へ向かう経路が上記伝送経路として設定され、この経路に画像信号が伝送可能な状態となる。こうして設定された伝送経路は、モデム２２による画像信号の出力が終了した際、又は、電話回線網１００からの画像信号の入力が終了した際に解除され、この経路に画像信号が伝送されない状態となる。
【００３１】
なお、この複合機１０において、ネットワークインターフェイス部３０からインターネット網２００へ至る通信経路のうち一部の区間（利用者側から電話局側までの区間）には、回線制御部３２から電話回線網１００に至る区間を接続する電話回線が併用されている。この区間においては、ＡＤＳＬ（Ａｓｙｍｍｅｔｒｉｃ  Ｄｉｇｉｔａｌ  Ｓｕｂｓｃｒｉｂｅｒ  Ｌｉｎｅ）技術によって、電話回線網１００を介して伝送される信号と、インターネット網２００を介して伝送されるパケット単位のデータとが重畳された状態で伝送される。
【００３２】
ところで、本実施形態の複合機１０は、インターネット網２００経由で取得可能なウェブページデータの表すウェブページの画像を用紙に印刷する機能（ウェブプリント機能）を有している。ここで、本複合機１０のＥＥＰＲＯＭ１８には、特定のウェブページのＵＲＬ（アドレス情報に相当）と、このウェブページの内容を簡潔に示すコメント情報とを記憶するための領域（以下、ワンタッチキー領域という。）が設けられており、図２に示すように、このワンタッチキー領域には、８通りのＵＲＬ及びコメント情報が、「１」〜「８」の各識別番号に対応する領域（以下、個別キー領域という。）に分けて記憶されるようになっている。そして、本複合機１０は、このワンタッチキー領域に記憶されているＵＲＬを利用することで、上記ウェブプリント機能によりウェブページの画像を用紙に印刷する際のＵＲＬの入力操作を簡易化する機能（ワンタッチ選択機能）を実現する。
【００３３】
ここで、こうした機能を実現するために複合機１０のＣＰＵ１２が行うワンタッチプリント処理について、図３のフローチャートを用いて説明する。なお、本ワンタッチプリント処理は、当該複合機１０の動作モードがワンタッチプリントモードに設定されることによって開始される。
【００３４】
このワンタッチプリント処理が開始されると、まずＳ１１０にて、変数Ｍの値を０に設定する。
続いて、Ｓ１２０では、操作パネル３８における「１」〜「８」の何れかのダイヤルボタンが押されたか否かを判定する。
【００３５】
そして、Ｓ１２０で、「１」〜「８」の何れかのダイヤルボタンが押されたと判定した場合には、Ｓ１３０へ移行し、変数Ｍの値をＳ１２０にて押されたと判定したダイヤルボタンの番号に変更する。そして更に、Ｓ１４０へ移行し、ワンタッチキー領域における変数Ｍと同じ識別番号の個別キー領域に記憶されているコメント情報を読み出し、このコメント情報を表示パネル４０に表示させた後、Ｓ１５０へ移行する。例えば、ワンタッチキー領域に図２に示すコメント情報が記憶されている場合、「２」のダイヤルボタンが押されると、表示パネル４０に「△△新聞」と表示させる。なお、Ｓ１４０にて表示させようとしているコメント情報（例えば「△△新聞」）とは異なるコメント情報（例えば「××のページ」）が既に表示パネル４０に表示されている場合には、その既に表示されているコメント情報（「××のページ」）を表示パネル４０から消去して、新たなコメント情報（「△△新聞」）を表示させる（表示内容を更新する）。
【００３６】
一方、Ｓ１２０で、「１」〜「８」の何れのダイヤルボタンも押されていないと判定した場合には、Ｓ１３０及びＳ１４０の処理を行わずにＳ１５０へ移行する。
Ｓ１５０では、操作パネル３８のスタートボタンが押されたか否かを判定する。
【００３７】
このＳ１５０で、スタートボタンが押されていないと判定した場合には、Ｓ１６０へ移行する。そして、Ｓ１６０では、操作パネル３８のモード切換ボタンによりワンタッチプリントモードが解除されたか否かを判定する。
このＳ１６０で、ワンタッチプリントモードが解除されていないと判定した場合には、Ｓ１２０へ戻る。
【００３８】
一方、Ｓ１６０で、ワンタッチプリントモードが解除されたと判定した場合には、本ワンタッチプリント処理を終了する。
一方また、Ｓ１５０で、スタートボタンが押されたと判定した場合には、Ｓ１７０へ移行し、変数Ｍの値が０であるか否かを判定する。なお、上述したように、変数Ｍの値は、「１」〜「８」の何れかのダイヤルボタンが押されると、そのダイヤルボタンの番号に変更されるため（Ｓ１２０，Ｓ１３０）、変数Ｍの値が０である状態とは、本ワンタッチプリント処理が開始されてから「１」〜「８」のダイヤルボタンが一度も押されていない状態を意味している。
【００３９】
そして、Ｓ１７０で変数Ｍの値が０であると判定した場合には、Ｓ１６０へ移行する。
一方、Ｓ１７０で、変数Ｍの値が０でないと判定した場合には、Ｓ１８０へ移行する。つまり、「１」〜「８」の何れかのダイヤルボタンが押され、更に、スタートボタンが押された場合に、Ｓ１８０へ移行するようになっている。
【００４０】
そして、Ｓ１８０では、ワンタッチキー領域における変数Ｍと同じ識別番号の個別キー領域に記憶されているＵＲＬを読み出す。
続いて、Ｓ１９０では、Ｓ１８０にて読み出したＵＲＬを用いて、このＵＲＬに対応するウェブページを表すウェブページデータをインターネット網２００を介して取得する処理を行う。つまり、表示パネル４０に表示されているコメント情報が示す内容のウェブページを表すウェブページデータを取得するようになっている。具体的には、ＵＲＬに対応するウェブページデータを要求する要求データをネットワークインターフェイス部３０に送信させ、この要求に対しインターネット網２００を介してサーバから送信されてくるウェブページデータをネットワークインターフェイス部３０に受信させる。
【００４１】
続いて、Ｓ２００では、Ｓ１９０にて取得したウェブページデータの表すウェブページの画像を用紙に印刷するための印刷データ（イメージデータ）を生成する。
最後に、Ｓ２１０では、Ｓ２００にて生成した印刷データの表す画像を用紙に印刷する処理をプリンタ部２４に行わせた後、本ワンタッチプリント処理を終了する。
【００４２】
このようなワンタッチプリント処理が実行されることで、使用者は、所望のウェブページに対応する番号のダイヤルボタンとスタートボタンとを押すという簡易な情報選択操作により、そのウェブページの画像を用紙に印刷して閲覧することができる。
【００４３】
一方、パソコン５０は、ＣＰＵ５２、ＲＯＭ５４、ＲＡＭ５６、ハードディスク５８、ユーザインターフェイス部６０、ＬＡＮ２を介してデータの送受信処理を行うネットワークインターフェイス部６２などが、バス６４を介して接続された汎用のものである。
【００４４】
ユーザインターフェイス部６０は、キーボードやマウスなどからなる操作部６６と、ＣＲＴや液晶パネルなどのディスプレイである表示部６８と、スピーカ及びこのスピーカを駆動する駆動回路からなるスピーカ部７０とを備えている。
また、このパソコン５０には、ＯＳ（Ｏｐｅｒａｔｉｎｇ  Ｓｙｓｔｅｍ）としてマイクロソフト株式会社のウィンドウズ（登録商標）２０００が組み込まれており、更に、ウェブブラウザとして同社のインターネットエクスプローラ（登録商標）がインストールされている。そのため、このパソコン５０では、インターネットエクスプローラ（登録商標）のブラウザ機能を利用したウェブページの閲覧を行うことができる。
【００４５】
具体的には、例えば、ウェブページを表示部６８に表示させて閲覧している状態で、その表示されているウェブページを「お気に入りに追加」する操作を行うと、そのウェブページの内容を示すファイル名（見出し情報に相当）が付されると共にそのウェブページのＵＲＬが記述されたショートカットファイルが作成される。こうして作成されたショートカットファイルは、デフォルト状態ではＦａｖｏｒｉｔｅｓフォルダに格納されるが、使用者の操作により所望のフォルダへ格納することもできる。また、ファイル名についても任意の名称に変えることができる。
【００４６】
また、例えば、Ｆａｖｏｒｉｔｅｓフォルダに格納されているショートカットファイルのうちの一つを選択する操作を行うと、その選択したショートカットファイルに記述されているＵＲＬを用いて、このＵＲＬに対応するウェブページを表すウェブページデータがインターネット網２００経由で取得され、この取得されたウェブページデータの表すウェブページが表示部６８に表示される。
【００４７】
なお、ウィンドウズ（登録商標）２０００の場合、ＯＳは通常Ｃドライブ（ハードディスク５８）に格納されており、例えばログイン名「ｋａｏｋｉ」でログインした場合のＦａｖｏｒｉｔｅｓフォルダのパス名は、「Ｃ：￥Ｄｏｃｕｍｅｎｔｓ  ａｎｄ  Ｓｅｔｔｉｎｇｓ￥ｋａｏｋｉ￥Ｆａｖｏｒｉｔｅｓ」である。
【００４８】
また、このパソコン５０には、複合機１０用のデバイスドライバがインストールされている。ここで、このデバイスドライバは、パソコン５０にインストールされると、図４に示すように、パソコン５０のＦａｖｏｒｉｔｅｓフォルダの中に、「ＭＦＣ−Ｂｏｏｋｍａｒｋ」という名前のフォルダを自動的に作成する処理を行う。このＭＦＣ−Ｂｏｏｋｍａｒｋフォルダは、「＃０１」〜「＃０８」という名前の８個のフォルダ（以下、ワンタッチキー用フォルダという。）が格納されたものであり、初期状態では各ワンタッチキー用フォルダ（記憶領域に相当）の中身が空の状態となっている。
【００４９】
また更に、このパソコン５０には、複合機１０用のデバイスドライバと共に、ＭＦＣ−Ｂｏｏｋｍａｒｋフォルダの中身を監視するための監視プログラムがインストールされている。
ここで、上記監視プログラムに従いＣＰＵ５２が行うフォルダ監視処理について、図５のフローチャートを用いて説明する。なお、本フォルダ監視処理は、パソコン５０にてＯＳを立ち上げることによって自動的に開始される。
【００５０】
このフォルダ監視処理が開始されると、まずＳ３１０にて、複合機１０の電源がオンしているか否かを判定する。具体的には、電源がオンしているか否かを確認するための電源確認データをネットワークインターフェイス部６２を介して複合機１０へ送信し、この電源確認データに応答するデータがネットワークインターフェイス部６２を介して複合機１０から受信されるか否かにより判断する。
【００５１】
そして、Ｓ３１０で、複合機１０の電源がオンしていないと判定した場合には、Ｓ３２０へ移行し、本監視プログラムの停止指示がされたか否かを判定する。なお、この停止指示は、パソコン５０の使用者により監視プログラムを停止する操作が操作部６６にて行われることにより発生する。
【００５２】
このＳ３２０で、停止指示がされていないと判定した場合には、Ｓ３１０へ戻る。
一方、Ｓ３２０で、停止指示がされたと判定した場合には、本フォルダ監視処理を終了する。
【００５３】
一方また、Ｓ３１０で、複合機１０の電源がオンしていると判定した場合には、Ｓ３３０へ移行し、変数Ｎの値を１に設定する。
続いて、Ｓ３４０では、複合機１０のＥＥＰＲＯＭ１８のワンタッチキー領域に記憶されている情報（ＵＲＬ及びコメント情報）を読み出してパソコン５０へ送信する処理を複合機１０に要求するためのコマンド（以下、ブックマーク読出コマンドという。）を、ネットワークインターフェイス部６２を介して複合機１０へ送信する。その際、このブックマーク読出コマンドにおいて、情報の読み出し元として変数Ｎと同じ識別番号の個別キー領域を指定する。これにより、Ｎ番の個別キー領域に記憶されているＵＲＬ及びコメント情報が複合機１０から送信されてくる。なお、複合機１０側で行われる具体的な処理内容については後述する。
【００５４】
続いて、Ｓ３５０では、Ｓ３４０にて送信したブックマーク読出コマンドに応答して複合機１０から送信されてくるＵＲＬ及びコメント情報をネットワークインターフェイス部６２を介して受信し、このＵＲＬ及びコメント情報を変数Ｎと同じ識別番号に対応させてＲＡＭ５６に記憶させる。
【００５５】
続いて、Ｓ３６０では、変数Ｎの値が８であるか否かを判定する。
そして、Ｓ３６０で、変数Ｎの値が８でないと判定した場合には、Ｓ３７０へ移行し、Ｎの値に１を加算した後、Ｓ３４０へ戻る。つまり、上述したＳ３４０及びＳ３５０の処理を変数Ｎの値を変えて８回繰り返すようになっており、これにより、複合機１０のＥＥＰＲＯＭ１８のワンタッチキー領域に記憶されている情報と同じ情報がＲＡＭ５６に記憶された状態となる。
【００５６】
一方、Ｓ３６０で、変数Ｎの値が８であると判定した場合には、Ｓ３８０へ移行し、変数Ｎの値を１に設定する。
続いて、Ｓ３９０では、変数Ｎと同じ識別番号のワンタッチキー用フォルダに格納されているショートカットファイルを読み出す。
【００５７】
続いて、Ｓ４００では、Ｓ３９０にて読み出されたショートカットファイルが複数であるか否かを判定する。つまり、Ｎ番のワンタッチキー用フォルダに複数のショートカットファイルが格納されているか否かを判断するのである。
そして、Ｓ４００で、ショートカットファイルが複数であると判定した場合には、Ｓ４１０へ移行し、Ｎ番のワンタッチキー用フォルダに格納されているショートカットファイルのうち、最も新しく作成されたファイル以外のファイルを削除した後、Ｓ４２０へ移行する。
【００５８】
一方、Ｓ４００で、ショートカットファイルが複数でない（１つ又は０）と判定した場合には、Ｓ４１０の処理を行わずにＳ４２０へ移行する。
Ｓ４２０では、Ｎ番のワンタッチキー用フォルダに格納されているショートカットファイルに関する情報（ＵＲＬ及びファイル名）と、変数Ｎと同じ識別番号に対応させてＲＡＭ５６に記憶されている情報（ＵＲＬ及びコメント情報）とが、一致しているか否かを判定する。具体的には、ショートカットファイルの示すＵＲＬとＲＡＭ５６に記憶されているＵＲＬとが一致し、かつ、ショートカットファイルのファイル名とＲＡＭ５６に記憶されているコメント情報とが一致した場合に、ショートカットファイルに関する情報とＲＡＭ５６に記憶されている情報とが一致していると判定する。このため、パソコン５０の使用者によって、Ｎ番のワンタッチキー用フォルダに格納されているショートカットファイル自体が変更されたり、ファイル名のみが変更されたりすると、一致していないと判定されることとなる。ここで、Ｎ番のワンタッチキー用フォルダにショートカットファイルがない場合は、ＵＲＬ及びファイル名が空欄であるものとして処理する。なお、ウェブページのショートカットファイルは、図６に示すような記述形式で表されるものであり、「［ＩｎｔｅｒｎｅｔＳｈｏｒｔｃｕｔ］」の行からファイルの終了、もしくは、「［」と「］」とでくくられた文字列のみの行の間にある、「ＵＲＬ＝」に続けてウェブページのＵＲＬが記述されるようになっている。
【００５９】
そして、Ｓ４２０で、ショートカットファイルに関する情報とＲＡＭ５６に記憶されている情報とが一致していないと判定した場合には、Ｓ４３０へ移行し、複合機１０のＥＥＰＲＯＭ１８のワンタッチキー領域に情報（ＵＲＬ及びコメント情報）を記憶させる（登録する）処理を複合機１０に要求するためのコマンド（以下、ブックマーク登録コマンドという。）を、ネットワークインターフェイス部６２を介して複合機１０へ送信する。その際、このブックマーク登録コマンドにおいて、情報の登録先として変数Ｎと同じ識別番号の個別キー領域を指定する。そして更に、このブックマーク登録コマンドと共に、Ｎ番の個別キー領域に格納すべきＵＲＬ及びコメント情報として、Ｎ番のワンタッチキー用フォルダに格納されているショートカットファイルの示すＵＲＬ及びそのファイル名を送信する。その後、このブックマーク登録コマンドによって要求した処理が複合機１０にて正常に終了することにより複合機１０から送信されてくる終了通知をネットワークインターフェイス部６２を介して受信すると、Ｓ４４０へ移行する。なお、Ｎ番のワンタッチキー用フォルダにショートカットファイルが格納されていない場合には、上記「Ｎ番の個別キー領域に格納すべきＵＲＬ及びコメント情報」として空欄を表す情報を送信する。
【００６０】
続いて、Ｓ４４０では、Ｎ番のワンタッチキー用フォルダに格納されているショートカットファイルの示すＵＲＬ及びそのファイル名（すなわち、Ｓ４３０にて複合機１０へ送信した情報）を、変数Ｎと同じ識別番号に対応させてＲＡＭ５６に記憶させた後、Ｓ４５０へ移行する。なお、Ｎ番のワンタッチキー用フォルダにショートカットファイルが格納されていない場合には、空欄を表す情報を変数Ｎと同じ識別番号に対応させてＲＡＭ５６に記憶させる。また、変数Ｎと同じ識別番号に対応させた情報が既にＲＡＭ５６に記憶されている場合には、その既に記憶されている情報を消去して、新たな情報を記憶させる（記憶内容を更新する）。
【００６１】
一方、Ｓ４２０で、ショートカットファイルに関する情報とＲＡＭ５６に記憶されている情報とが一致していると判定した場合には、Ｓ４３０及びＳ４４０の処理を行わずにＳ４５０へ移行する。
Ｓ４５０では、変数Ｎの値が８であるか否かを判定する。
【００６２】
そして、Ｓ４５０で、変数Ｎの値が８でないと判定した場合には、Ｓ４６０へ移行し、Ｎの値に１を加算した後、Ｓ３９０へ戻る。つまり、上述したＳ３９０〜Ｓ４４０の処理を変数Ｎの値を変えて８回繰り返すようになっており、これにより、ＭＦＣ−Ｂｏｏｋｍａｒｋフォルダの各ワンタッチキー用フォルダに格納されているショートカットファイルに関する情報（ＵＲＬ及びファイル名）と、複合機１０のワンタッチキー領域の各個別キー領域に記憶されている情報（ＵＲＬ及びコメント情報）とが一致する。
【００６３】
一方、Ｓ４５０で、変数Ｎの値が８であると判定した場合には、Ｓ４７０で移行し、Ｓ３２０と同様に停止指示がされたか否かを判定する。
このＳ４７０で、停止指示がされていないと判定した場合には、Ｓ３８０へ戻る。
【００６４】
一方、Ｓ４７０で、停止指示がされたと判定した場合には、本フォルダ監視処理を終了する。
次に、複合機１０のＣＰＵ１２が行うコマンド処理について、図７のフローチャートを用いて説明する。なお、本コマンド処理は、当該複合機１０の電源がオンされることによって開始される。
【００６５】
このコマンド処理が開始されると、まずＳ５１０にて、パソコン５０からの何らかのコマンドがネットワークインターフェイス部３０により受信されたか否かを判定し、何らかのコマンドが受信されたと判定すると、Ｓ５２０へ移行する。そして、Ｓ５２０では、パソコン５０から受信したコマンドがブックマーク読出コマンドであるか否かを判定する。なお、ブックマーク読出コマンドとは、上記フォルダ監視処理（図５）のＳ３４０の処理にて送信されるコマンドである。
【００６６】
このＳ５２０で、ブックマーク読出コマンドであると判定した場合には、Ｓ５３０へ移行し、受信したブックマーク読出コマンドにおいて指定されている個別キー領域からＵＲＬ及びコメント情報を読み出す。そして更に、Ｓ５４０へ移行し、Ｓ５３０にて読み出したＵＲＬ及びコメント情報をパソコン５０へ送信した後、Ｓ５１０へ戻る。
【００６７】
一方、Ｓ５２０で、ブックマーク読出コマンドでないと判定した場合には、Ｓ５５０へ移行し、パソコン５０から受信したコマンドがブックマーク登録コマンドであるか否かを判定する。なお、ブックマーク登録コマンドとは、上記フォルダ監視処理（図５）のＳ４３０の処理にて送信されるコマンドである。
【００６８】
このＳ５５０で、ブックマーク登録コマンドであると判定した場合には、Ｓ５６０へ移行し、ブックマーク登録コマンドと共に送信されてきたＵＲＬ及びファイル名を、このブックマーク登録コマンドにおいて指定されている個別キー領域に記憶させる。その際、ファイル名をコメント情報として記憶させる。そして更に、Ｓ５７０へ移行し、受信したブックマーク登録コマンドによって要求された処理（ＵＲＬ及びコメント情報を記憶する処理）が正常に終了した旨の終了通知をパソコン５０へ送信した後、Ｓ５１０へ戻る。なお、ブックマーク登録コマンドと共に空欄を表す情報が送信されてきた場合には、その空欄を表す情報をブックマーク登録コマンドにおいて指定されている個別キー領域に記憶させる。
【００６９】
一方、Ｓ５５０で、ブックマーク登録コマンドでないと判定した場合には、Ｓ５８０へ移行し、そのコマンド（例えば、画像データの印刷を命令する印刷コマンドなど）に応じた処理を行った後、Ｓ５１０へ戻る。
なお、本実施形態の通信システム１では、複合機１０が、第２通信端末と、印刷装置とに相当し、ＥＥＰＲＯＭ１８が、請求項１，１０の記憶手段と、請求項２〜７の第２記憶手段とに相当し、操作パネル３８が、入力手段に相当し、図３におけるＳ１２０，Ｓ１３０，Ｓ１５０，Ｓ１７０，Ｓ１８０の処理が、選択手段に相当し、表示パネル４０と、Ｓ１４０の処理とが、見出情報表示手段に相当し、ネットワークインターフェイス部３０と、Ｓ１９０の処理とが、取得手段に相当し、プリンタ部２４と、Ｓ２００，Ｓ２１０の処理とが、印刷手段に相当し、ネットワークインターフェイス部３０が、受信手段に相当し、図８におけるＳ５６０の処理が、登録手段に相当している。
【００７０】
また、パソコン５０が、第１通信端末と、情報処理装置とに相当し、表示部６８が、表示手段に相当し、ハードディスク５８に作成されたＭＦＣ−Ｂｏｏｋｍａｒｋフォルダが、請求項２〜７の第１記憶手段と、請求項８，９の記憶手段とに相当し、図５におけるＳ３９０の処理が、情報読出手段に相当し、Ｓ４００，Ｓ４１０の処理が、削除手段に相当し、ネットワークインターフェイス部６２と、Ｓ４２０，Ｓ４３０の処理とが、情報通知手段に相当し、特にＳ４３０の処理が、送信手段にも相当している。
【００７１】
以上のように、本実施形態の通信システム１では、使用者が、複合機１０の動作モードをワンタッチプリントモードに設定し、この複合機１０のＥＥＰＲＯＭ１８のワンタッチキー領域に記憶されているＵＲＬのうちの一つを「１」〜「８」の何れかのダイヤルボタンで指示した後、スタートボタンを押して決定することで、そのＵＲＬのウェブページが複合機１０によって用紙に印刷されて閲覧可能な状態となる。このように、使用者は、ダイヤルボタンをワンタッチするだけの極めて簡単な操作によりＵＲＬを指定することができる。また、使用者がダイヤルボタンを押すと、そのダイヤルボタンで指示されたＵＲＬのウェブページの内容を示すコメント情報が表示パネル４０に表示されるため、所望のウェブページとは異なるウェブページを誤って選択してしまうことを防ぐことができる。
【００７２】
また更に、使用者が、パソコン５０にてウェブページを閲覧中に「お気に入りに追加」する操作を行い、作成されたショートカットファイルをＭＦＣ−Ｂｏｏｋｍａｒｋフォルダ内の所望の識別番号のワンタッチキー用フォルダに格納すると、そのウェブページについてのＵＲＬ及びファイル名（コメント情報）がパソコン５０から複合機１０へ送られ（Ｓ４３０）、ワンタッチキー領域における同じ識別番号の個別キー領域に記憶される（Ｓ５６０）。このため、使用者は、所望のウェブページについてのＵＲＬ及びファイル名（コメント情報）を、所望のダイヤルボタンに対応させて登録することができる。ここで、「お気に入りに追加」する操作は、周知のようにマウスを用いて容易に行うことができ、ＵＲＬの手入力をわざわざ行う必要がないため、使用者は、複合機１０に所望のウェブページのＵＲＬを登録する際にも、ＵＲＬを入力する必要がない。また、パソコン５０から複合機１０へのＵＲＬ及びファイル名の送信は、ワンタッチキー用フォルダに格納されているショートカットファイルに何らかの変更がされた際にのみ行うようにしているため、パソコン５０と複合機１０との間の通信トラフィックを低減することができる。
【００７３】
加えて、使用者が、パソコン５０にて「お気に入りに追加」する操作を行い、ショートカットファイルが既に格納されたワンタッチキー用フォルダに新たなショートカットファイルを格納する操作を行っても、最新のショートカットファイル以外は削除されるため、一つのワンタッチキー用フォルダに複数のショートカットファイルが存在してしまうことを防ぐことができる。
【００７４】
以上、本発明の一実施形態について説明したが、本発明は、種々の形態を採り得ることは言うまでもない。
例えば、上記実施形態では、パソコン５０にウェブブラウザとしてインターネットエクスプローラ（登録商標）がインストールされている例について説明したが、これに限ったものではない。すなわち、一般に用いられるウェブブラウザの一つであるネットスケープ社のネットスケープナビゲータ（登録商標）も、インターネットエクスプローラ（登録商標）のお気に入り機能と同様にＵＲＬを記憶するブックマーク機能を備えており、このブックマーク機能によってもフォルダの中にフォルダを作るという階層構造を築くことができる。ここで、ネットスケープナビゲータ（登録商標）では、上記のような階層構造を一つのテキスト形式のファイルで記憶するようになっているため、このファイルの内部を解析することで、フォルダ名の検索、そのフォルダの下層にあるフォルダの認知、フォルダに格納されたブックマークの情報の取得などを行うことができる。具体的には、ファイルを解析してＭＦＣ−Ｂｏｏｋｍａｒｋフォルダを検出し、更に、その下層にあるワンタッチキー用フォルダを検出することで、そのフォルダに格納されたブックマークの情報である名称（ファイル名）及びＵＲＬを得ることができる。
【００７５】
一方、上記実施形態では、複合機１０の操作パネル３８にて、「１」〜「８」の何れかのダイヤルボタンでＵＲＬを指示した後、スタートボタンを押すことで用紙に印刷するウェブページのＵＲＬが決定されるようにしているが、これに限ったものではない。例えば、ダイヤルボタンを押すだけで、その番号に対応するＵＲＬが決定されるようにしてもよい。また、ダイヤルボタンから２桁以上の番号を指示した後、スタートボタンを押すようにしてもよい。また、番号を指示する代わりに、表示パネル４０に表示されたコメント情報の一覧の中から所望のウェブページを選択するようにしてもよい。
【図面の簡単な説明】
【図１】実施形態の通信システムの構成を表すブロック図である。
【図２】ワンタッチキー領域の説明図である。
【図３】ワンタッチプリント処理のフローチャートである。
【図４】Ｆａｖｏｒｉｔｅｓフォルダの説明図である。
【図５】フォルダ監視処理のフローチャートである。
【図６】ショートカットファイルの記述形式の説明図である。
【図７】コマンド処理のフローチャートである。
【符号の説明】
１…通信システム、１０…複合機、１２…ＣＰＵ、１４…ＲＯＭ、１６…ＲＡＭ、１８…ＥＥＰＲＯＭ、２０…スキャナ部、２２…モデム、２４…プリンタ部、２６…ユーザインターフェイス部、２８…ＰＣインターフェイス部、３０…ネットワークインターフェイス部、３２…回線制御部、３４…バス、３６…ハンドセット、３８…操作パネル、４０…表示パネル、４２…スピーカ部、５０…パソコン、５２…ＣＰＵ、５４…ＲＯＭ、５６…ＲＡＭ、５８…ハードディスク、６０…ユーザインターフェイス部、６２…ネットワークインターフェイス部、６４…バス、６６…操作部、６８…表示部、７０…スピーカ部、１００…電話回線網、２００…インターネット網
【図１】
2004220360.tif 000003
【図２】
2004220360.tif 000004
【図３】
2004220360.tif 000005
【図４】
2004220360.tif 000006
【図５】
2004220360.tif 000007
【図６】
2004220360.tif 000008
【図７】
2004220360.tif 000009